(57)【要約】【課題】開閉扉を構成する２つの扉体の係合状態を外れにくくしたコンセントの扉構造を提供する。【解決手段】シャッターブロック１は、前壁にプラグ挿入口６が開口するカバー５と、プラグ挿入口６を開閉する開閉扉７を備える。開閉扉７は、プラグ挿入口６を通して前方に突出する操作片１７を有しプラグ挿入口６のほぼ半分を閉塞する下扉９と、下扉９に対してカバー５の前壁側に配置されてプラグ挿入口６の残る半分を閉塞し、下扉９のスライド移動に連動してスライド移動する上扉８とで構成される。下扉９前面の上部には係合突部１８が左右両側に突設されており、これら係合突部１８を上扉８の左右両側の側縁部と係合させてガイドしている。そして上扉８の左右両側縁の下端部には、下扉９がプラグ挿入口６を閉じる方向へ移動する際に係合突部１８と当接する受け片４４を突設してある。【選択図】図１
2005085679.tif 000002
【特許請求の範囲】
【請求項１】
器体の前壁にプラグ挿入口が開口し、該プラグ挿入口を介してプラグが着脱自在に結合されるコンセントの扉構造であって、器体の前壁の裏側にプラグ挿入口に沿ってスライド移動自在に配設されてプラグ挿入口を開閉する開閉扉を備え、該開閉扉は、プラグ挿入口の一部を閉塞する第１の扉体と、第１の扉体に対して前後方向に重ねて配置されてプラグ挿入口の残りを閉塞する第２の扉体とで構成され、これら両扉体の内の一方と他方とを互いに係合させることで両扉体を連動してスライド移動させる係合手段を、両扉体におけるプラグ挿入口から露出しない部位に設け、該係合手段の係り代を、扉体の前後方向の厚み寸法と略同程度もしくは同程度以上の寸法としたことを特徴とするコンセントの扉構造。
【請求項２】
前記第１及び第２の扉体の内、一方の扉体に当該扉体を前後方向に貫通するガイド部をスライド移動方向に沿って形成するとともに、他方の扉体にガイド部と係合する係合突部を設け、ガイド部におけるスライド移動方向の一端側に他方の扉体が一方の扉体側へ移動した際に係合突部と当接する受け部を設け、前記係合突部と前記受け部とで前記係合手段を構成したことを特徴とする請求項１記載のコンセントの扉構造。
【請求項３】
前記ガイド部は一方の扉体の側縁部であることを特徴とする請求項２記載のコンセントの扉構造。
【請求項４】
前記ガイド部は一方の扉体に設けた貫通溝であり、該貫通溝に前記係合突部を係入させたことを特徴とする請求項２記載のコンセントの扉構造。
【請求項５】
前記器体の前壁の裏側に取り付けられて器体の前壁との間で前記第１及び第２の扉体を保持する押さえ部材を設けたことを特徴とする請求項１乃至４の何れか１つに記載のコンセントの扉構造。
【発明の詳細な説明】
【技術分野】
【０００１】
本発明は、プラグを挿入するためのプラグ挿入口を開閉する開閉扉を備えたコンセントの扉構造に関するものである。
【背景技術】
【０００２】
従来より、器体の前壁にプラグ挿入口が開口し、該プラグ挿入口を介してモジュラプラグが着脱自在に結合されるモジュラジャックにおいて、プラグ挿入口を開閉する開閉扉を備えたものが提供されている（例えば特許文献１、２参照）。
【０００３】
従来のモジュラジャックは図１３及び図１４に示すような構造を有し、プラグ挿入口６を開閉する開閉扉７（上扉８及び下扉９）を備えたシャッターブロック１と、シャッターブロック１のカバー５の後面側に取着されるボディ２と、ボディ２に取り付けられてプラグ挿入口６を通して挿入されるプラグとの間の信号接続に用いられるモジュラブロック３とで構成される。
【０００４】
シャッターブロック１は、図１１及び図１２に示すように、モジュラブロック３に対してプラグ挿入方向の前方に配置され、プラグを挿入するプラグ挿入口６が前壁に開口したカバー５と、カバー５の前壁の裏側にプラグ挿入口６（前壁）に沿ってスライド移動自在に配設されてプラグ挿入口６を開閉する開閉扉７とを備え、開閉扉７は図示しないコイルばねによってプラグ挿入口６を閉じる向きに付勢されている。
【０００５】
開閉扉７は、プラグ挿入口６のほぼ半分を閉塞する下扉９と、下扉９に対してカバー５の前壁側に配置されてプラグ挿入口６の残る半分を閉塞し、下扉９のスライド移動に連動してスライド移動する上扉８とで構成される。上扉８の後面にはプラグ挿入口６の投影範囲を通過する部位に上側に開放された２条のガイド溝５１，５１が上下方向（スライド方向）に沿って形成されており、後面上部の左右両端部には後方に突出する係止突起４３が突設されている。また下扉９の前面下部にはプラグ挿入口６を通して前方に突出する操作片１７が突設され、前面上部には上扉８に形成されたガイド溝５１，５１とそれぞれ係止する一対の係止突起５２，５２が突設されており、さらに下扉９の左右両側縁の下部にはコイルばねの一端を受けるばね受け片１９，１９が突設されている。
【０００６】
而してモジュラプラグをプラグ挿入口６から挿入する際には、下扉９に設けられた操作片１７をモジュラプラグによって上扉８側に移動させることにより、コイルばねのばね力に抗して下扉９がプラグ挿入口６を開く向き（上側）にスライド移動し、プラグ挿入口６の下半分を開放する。このとき上扉８は、操作片１７で上扉８の下側縁が押されるとともに、下扉９の上側縁で係止突起４３，４３が押されることによって下扉９と共に上側にスライド移動し、プラグ挿入口６を開放する。
【０００７】
またモジュラプラグをプラグ挿入口６から引き抜くと、付勢ばねの付勢力によって下扉９がプラグ挿入口６を閉じる向き（下側）に押され、下扉９がプラグ挿入口６の上半分を閉じる。このとき下扉９の係止突起５２が上扉８のガイド溝５１の下端と係止することで、上扉８が下扉９と共に下側にスライド移動し、上扉８が下扉９に連動してプラグ挿入口６を閉じる。なお上扉８はプラグ挿入口６の上半分を閉じた状態でプラグ挿入口６の下部の開口縁に突設したガイド突起１５と当接することで、それ以上下側にスライド移動できないようになっている。
【特許文献１】特公平７−９９７０１号公報
【特許文献２】特許第３３１９８２１号公報
【発明の開示】
【発明が解決しようとする課題】
【０００８】
上述したコンセントの扉構造では、開閉扉７がプラグ挿入口６を閉じる際に、下扉９が付勢ばねの付勢力によって下側に押されてプラグ挿入口６の上半分を閉じると、下扉９の係止突起５２が上扉８のガイド溝５１の下端と係止することで、上扉８が下扉９と共に下向きに移動するのであるが、ガイド溝５１，５１はプラグ挿入口６の投影範囲を通過する部位に設けられているので、上扉８の肉厚を確保するためにガイド溝５１，５１の深さを深く取ることができなかった。そのため係止突起５２，５２もガイド溝５１，５１の僅かな深さ分しか突出させることができず、ガイド溝５１と係止突起５２との係り代が小さいため、開閉扉７が閉じている状態で下扉９を後側（図１４のＡ方向）に押圧しながら上扉８を上側にスライド移動させると、係止突起５２がガイド溝５１の端を乗り越えやすく、上扉８と下扉９との係合状態が外れやすかった。
【０００９】
本発明は上記問題点に鑑みて為されたものであり、その目的とするところは、開閉扉を構成する２つの扉体の係合状態を外れにくくしたコンセントの扉構造を提供することにある。
【課題を解決するための手段】
【００１０】
上記目的を達成するために、請求項１の発明は、器体の前壁にプラグ挿入口が開口し、該プラグ挿入口を介してプラグが着脱自在に結合されるコンセントの扉構造であって、器体の前壁の裏側にプラグ挿入口に沿ってスライド移動自在に配設されてプラグ挿入口を開閉する開閉扉を備え、該開閉扉は、プラグ挿入口の一部を閉塞する第１の扉体と、第１の扉体に対して前後方向に重ねて配置されてプラグ挿入口の残りを閉塞する第２の扉体とで構成され、これら両扉体の内の一方と他方とを前後方向において互いに係合させることで両扉体を連動してスライド移動させる係合手段を、両扉体におけるプラグ挿入口から露出しない部位に設け、該係合手段の係り代を、扉体の前後方向の厚み寸法と略同程度もしくは同程度以上の寸法としたことを特徴とする。
【００１１】
請求項２の発明は、請求項１の発明において、第１及び第２の扉体の内、一方の扉体に当該扉体を前後方向に貫通するガイド部をスライド移動方向に沿って形成するとともに、他方の扉体にガイド部と係合する係合突部を設け、ガイド部におけるスライド移動方向の一端側に他方の扉体が一方の扉体側へ移動した際に係合突部と当接する受け部を設け、係合突部と受け部とで係合手段を構成したことを特徴とする。
【００１２】
請求項３の発明は、請求項２の発明において、ガイド部は一方の扉体の側縁部であることを特徴とする。
【００１３】
請求項４の発明は、請求項２の発明において、ガイド部は一方の扉体に設けた貫通溝であり、該貫通溝に係合突部を係入させたことを特徴とする。
【００１４】
請求項５の発明は、請求項１乃至４の何れか１つの発明において、器体の前壁の裏側に取り付けられて器体の前壁との間で第１及び第２の扉体を保持する押さえ部材を設けたことを特徴とする。
【発明の効果】
【００１５】
以上説明したように、請求項１の発明では、係合手段が一方の扉体と他方の扉体とを互いに係合させることで、両扉体を連動してスライド移動させることができ、そのうえ係合手段は両扉体におけるプラグ挿入口から露出しない部位に設けられ、係合手段の係り代が扉体の前後方向の厚み寸法と略同程度もしくは同程度以上の寸法に形成されているので、従来の扉構造に比べて係合手段の係り代を大きくでき、その結果扉体を後側に押すような力が加わったとしても、係合手段の係合状態を外れにくくして、第１の扉体と第２の扉体との係合状態が外れるのを防止できる。
【００１６】
請求項２の発明では、他方の扉体が一方の扉体側へ移動した際にガイド部の一端側に設けた受け部と他方の扉体に設けた係合突部とが当接することで、一方の扉体を他方の扉体と連動してスライド移動させることができ、そのうえガイド部はスライド移動方向に沿って一方の扉体を貫通して形成されているので、ガイド部と係合し且つ受け部と当接する係合突部の突出量を一方の扉体の前後方向の厚みと略同程度に形成することができるから、係合突部と受け部との係り代を大きくでき、扉体を後側に押すような力が加わったとしても、係合突部と受け部との係合状態を外れにくくして、第１の扉体と第２の扉体との係合状態を外れにくくできる。
【００１７】
請求項３の発明では、一方の扉体の側縁部によって係合突部が片側だけでガイドされているので、両側でガイドされている場合に比べて、スライド移動の際に係合突部がガイド部に引っ掛かりにくく、第１及び第２の扉体をスムーズにスライド移動させることができる。
【００１８】
請求項４の発明では、一方の扉体に設けた貫通溝に係合突部を係入させているので、係合突部と当接する受け部の強度を高めることができる。
【００１９】
請求項５の発明では、器体の前壁の裏側に押さえ部材を取り付けることによって、第１及び第２の扉体が器体の前壁と押さえ部材との間に保持されるので、扉部分をブロック化でき、ブロック化した扉部分をコンセント本体に組み込むことで組立作業の作業性が向上し、また組立の際に第１及び第２の扉体が器体から脱落するのを防止することができる。
【発明を実施するための最良の形態】
【００２０】
以下に本発明の実施の形態を図１〜図１０に基づいて説明する。尚、以下の説明では特に断りが無い場合、図７（ａ）に示す向きにおいて上下左右の方向を規定し、同図（ａ）における正面を前面とする。したがって、同図（ｃ）における右端は後端となる。
【００２１】
本実施形態では、本発明の扉構造をモジュラプラグが着脱自在に接続されるモジュラジャックＡに適用した例をもとに説明を行う。このモジュラジャックＡは、図６〜図９に示すようにプラグ挿入口６を開閉する開閉扉７を備えたシャッターブロック１と、シャッターブロック１のカバー５の後面側に取着されるボディ２と、ボディ２に取り付けられてプラグ挿入口６を通して挿入されるプラグとの間の信号接続に用いられるモジュラブロック３とで構成される。
【００２２】
シャッターブロック１はモジュラブロック３に対してプラグ挿入方向の前方に配置されており、図１〜図５に示すようにプラグを挿入するプラグ挿入口６が前壁に開口したカバー５（器体）と、カバー５の前壁の裏側にプラグ挿入口６に沿ってスライド自在に配置されてプラグ挿入口６を開閉する開閉扉７（上扉８及び下扉９）と、プラグ挿入口６を閉じる向きに開閉扉７を付勢する一対のコイルばね１０，１０（付勢ばね）と、カバー５とは別体であってカバー５の前壁の裏側に取り付けられてカバー５との間でコイルばね１０，１０及び開閉扉７を保持する押さえ板１１とで構成される。
【００２３】
カバー５は樹脂成型品からなり、前面から見た形状が矩形状であって、前面の略中央にプラグ挿入口６が開口している。カバー５の四方の各辺からは後方に突出する側壁１２が連続一体に形成されており、左右の側壁１２の後縁からは後方に突出する組立爪片１３が一対ずつ形成され、各対の組立爪片１３の略中間部には後方に突出する位置決め突起４１がそれぞれ形成されている。またカバー５の後面の四隅にはそれぞれ後方に突出するかしめ突起４２が突設されており、各々のかしめ突起４２の近傍には押さえ板１１を載置するためのリブ４０ａ〜４０ｄがカバー５の後面から立設されている。またカバー５の後面には、プラグ挿入口６を挟んで左右両側に上下方向（コイルばね１０の伸縮方向）と並行して延びるガイドリブ１４，１４が形成され、さらにプラグ挿入口６の下側の開口縁からは後方に突出するガイド突起１５，１５が形成されている。なおガイドリブ１４，１４の間隔は上扉８の横方向の最大幅と略同じ寸法となっており、ガイドリブ１４及びガイド突起１５の高さ寸法（カバー５後面からの突出量）はそれぞれ上扉８の厚み寸法と略同じ寸法に形成されている。
【００２４】
開閉扉７は、プラグ挿入口６のほぼ半分を閉塞する樹脂製の下扉９と、下扉９に対して前後方向に重ねて（本実施形態ではカバー５の前壁側に重ねて）配置されプラグ挿入口６の残る半分を閉塞し、下扉９のスライド移動に連動してスライド移動する樹脂製の上扉８とで構成される。
【００２５】
上扉８は横長の矩形板状であって、上扉８の上端部の幅は上下方向の中間部に比べて幅広に形成されており、この上端部の裏面には後方に突出する係止突起４３，４３が左右両側に形成されている。また上扉８の下側縁の左右両側部からは先端がそれぞれ側方に突出するＬ字形の受け片４４，４４が連続一体に形成されている。
【００２６】
下扉９は矩形板状の下扉本体１６を有し、下扉本体１６の前面下部にはプラグ挿入口６を通して前方に突出する操作片１７が突設され、前面上部の左右両端には上扉８の左右両側の側縁部とそれぞれ係合する一対の係合突部１８，１８が突設されている。また下扉本体１６の左右両側縁の下部からは、カバー５の側壁１２とガイドリブ１４との間にできるガイド溝４５に嵌って、コイルばね１０の一端を受けるばね受け片１９，１９が側方に向かって突設されている。なお操作片１７の幅寸法はプラグ挿入口６の下部に設けた幅狭部６ａと略同じ幅に形成されており、開閉扉７が閉じた状態では操作片１７が幅狭部６ａ内に挿入されている。
【００２７】
押さえ板１１は金属の薄板からなり、前面から見た形状が逆Ｕ字形に形成されており、カバー５に設けた４個のかしめ突起４２に対応する部位にはかしめ突起４２を挿通するかしめ孔４６がそれぞれ貫設されている。
【００２８】
ボディ２は後面が開口した略箱状であって、前面から見た形状が略矩形状に形成されており、前面の略中央には前方に突出する突台２１が形成されている。突台２１の左右の段部の外側縁からは各一対の結合爪２７が突設されており、突台２１の左右両側面には結合孔２８がそれぞれ開口している。突台２１の前面中央にはモジュラブロック３の前端部が挿入される取付孔２２が開口し、取付孔２２の左右の内側面にはそれぞれ前端側に開放された係止溝２３が前後方向に沿って形成されている。また突台２１の前面には、取付孔２２の左右両側部にカバー５の組立爪片１３がそれぞれ嵌合する組立孔２４が一対ずつ形成されており、各対の組立孔２４の間の部位には位置決め突起４１が嵌合する位置決め孔４７が形成されている。またボディ２の後面の上端部からは後方に向かってモジュラブロック３の上面と接触する板状の保持台部２５が延出し、さらに保持台部２５の左右両側部からはモジュラブロック３の側面の上半分を覆う横壁２６が下側に向かって延出している。
【００２９】
なおボディ２は、ＪＩＳ規格や日本配線器具工業会規格においてスイッチボックスを用いて取付面に埋め込んだ形で取り付けられる埋込型の配線器具用に規格化された大角形３個用の取付枠（図示せず）に結合されるものであり、規格化された取付枠に３個並べて取着できる配線器具の単位寸法（１個モジュール寸法）と同等の形状・寸法を有している。そして、モジュラジャックＡを取付枠に取り付けるにあたっては、合成樹脂製の取付枠の場合にはボディ２の左右両側縁に設けた結合爪２７を取付枠の保持孔に結合することで取付枠に取着され、金属製の取付枠の場合にはボディ２の突台２１の左右両側面に開口した結合孔２８に取付枠の結合爪を結合することで取付枠に取着される。
【００３０】
モジュラブロック３はジャック本体３ａと、ジャック本体３ａの前端部に装着される中枠３ｂとで構成される。中枠３ｂはモジュラプラグが接続される接続部２９を前面に有し、接続部２９の内部にはモジュラプラグの複数の接触子にそれぞれ電気的に接続される複数（例えば８本）のコンタクトピン４８が配列されている。また中枠３ｂの両側面の略中央には撓み片３７が設けられている。撓み片３７は前端部が中枠３ｂに連結され、後端部が左右方向に撓み自在となっており、この撓み片３７の前半分には後方に行くほど側方への突出量が大きくなる係止爪３７ａが形成されている。また中枠３ｂの両側面には撓み片３７の上下両側に係止突起３５，３６が突設されている。
【００３１】
ジャック本体３ａの内部には一端にコンタクトピン４８がそれぞれ形成された８本の導電部材（図示せず）が収納されており、各導電部材の他端には圧接端子（図示せず）が形成されている。この圧接端子は、一対の刃の間に下端縁を開放した圧接スリットを有するフォーク状に形成された圧接形のもので、圧接スリットの幅は接続する電線の芯線に圧接スリットの両側縁が圧接する程度に設定されている。これら８個の圧接端子はジャック本体３ａの後部下面に４個ずつ２列に配設されており、圧接端子の配設された部位には端子カバー３０が着脱自在に取り付けられている。なお保持台部２５の下面にはモジュラブロック３の後部下面に配列される複数の圧接端子（図示せず）の端子配列を示す表示ラベル４が貼着されている。
【００３２】
次にこのモジュラジャックＡの組立手順について説明を行う。図２に示すように前面を下向きにしてカバー５を配置した状態で、カバー５の裏面側にプラグ挿入口６の図３中上半分を覆うようにして上扉８を載置する。このとき上扉８の両側縁がガイドリブ１４，１４の側面と当接することで、上扉８の幅方向への移動が規制され、さらに受け片４４，４４の先端部がガイド突起１５，１５に当接することで、プラグ挿入口６を閉じる方向への上扉８の移動が規制される。
【００３３】
次に操作片１７を下向きにしてプラグ挿入口６の図３中下半分を覆うように、上扉８及びガイド突起１５，１５の上側に下扉９を載置する。このとき下扉９の係合突部１８，１８が上扉８のスライド移動方向に沿った左右の側縁にそれぞれ係合し、上扉８の両側縁によってガイドされる（図４（ａ）参照）。また下扉本体１６の両側に突設されたばね受け片１９がガイドリブ１４と側壁１２との間のガイド溝４５内にそれぞれ挿入され、このガイド溝４５に沿って下扉９がスライドするようになっている（図３参照）。
【００３４】
次に図５（ａ）に示すように、一対のコイルばね１０，１０をそれぞれガイド溝４５，４５内に挿入して、各コイルばね１０の一端をばね受け片１９に当接させるとともに、各コイルばね１０の他端をカバー５の後面から立設したリブに当接させた後、図５（ｂ）に示すように押さえ板１１をカバー５内に上側から挿入して、カバー５の後面に突設した４個のかしめ突起４２を押さえ板１１のかしめ孔４６に通してかしめることで、押さえ板１１をカバー５に固定する。このときカバー５の四方の側壁１２が、押さえ板１１の周縁部に当接して押さえ板１１を支持しているので、組込時に押さえ板１１に外力が加えられて押さえ板１１が変形するのを防止でき、押さえ板１１の変形によって開閉扉７が開閉しにくくなるのを防止している。なお押さえ板１１はかしめ以外の方法でカバー５に固定しても良く、圧入、圧着、熱着などの従来周知の方法で固定しても良い。
【００３５】
その後、ボディ２をカバー５に上側から嵌め込み、カバー５の組立爪片１３をボディ２の組立孔２４と嵌合させることによって、ボディ２とカバー５とが結合される。尚、組立爪片１３と組立孔２４とを嵌合させる際には、組立爪片１３の先端に設けたテーパと組立爪片１３の弾性とによって容易に嵌合できるようになっている。またカバー５の左右の側壁１２の後縁には、一対の組立爪片１３，１３の間の部位に位置決め突起４１が突設されており、この位置決め突起４１がボディ２に設けた位置決め孔４７と嵌合することによって、ボディ２に対してカバー５（シャッターブロック１）が位置決めされるので、各々の組立爪片１３と組立孔２４の孔縁との係り代を均一にして、確実に係止させることができる。
【００３６】
そして、モジュラブロック３をボディ２の取付孔２２内に上側から挿入し、モジュラブロック３の係止突起３５，３６を取付孔２２の左右の内側面に形成した係止段部（図示せず）に当接させるとともに、撓み片３７の係止爪３７ａをボディ２の内面に形成した係止溝２３の後端（上端）の段部と係止させることで、モジュラブロック３がボディ２に結合され、モジュラジャックＡの組立が完了する。
【００３７】
ここで、カバー５裏面の上部には、押さえ板１１よりも後方へ突出し、ボディ２の前面と当接してボディ２の前方方向への移動を規制する一対の規制リブ４９，４９が設けられており、これらの規制リブ４９，４９がボディ２の前面と当接することで、ボディ２の前方方向への移動を規制している。したがって、ボディ２によって押さえ板１１が前方へ押されることで、押さえ板１１が変形するのを防止でき、変形した押さえ板１１が開閉扉７（上扉８及び下扉９）と干渉して開閉扉７の開閉不良が発生するのを防止できる。なお下扉本体１６の下側縁には規制リブ４９，４９を逃がすための切欠１６ａ，１６ａが形成されている。
【００３８】
ところで、このモジュラジャックＡにモジュラプラグを接続する際には、下扉９に設けられた操作片１７をモジュラプラグによって上扉８側に押すことにより、コイルばねのばね力に抗して下扉９がプラグ挿入口６を開く向き（上側）にスライド移動し、プラグ挿入口６の下半分を開放する。このとき上扉８は、図４（ｂ）に示すように下扉本体１６の上側縁で係止突起４３，４３が押されるとともに、係合突部１８で係止突起４３の基部が押され、さらに操作片１７で上扉８の下側縁が押されることにより、上扉８が下扉９と共に上側へスライド移動し、プラグ挿入口６が開放される。
【００３９】
一方、モジュラプラグをプラグ挿入口６から引き抜くと、コイルばね１０のばね力によって下扉９がプラグ挿入口６を閉じる向き（下側）に押され、下扉９がプラグ挿入口６の上半分を閉じる。このとき、図４（ａ）に示すように下扉９の係合突部１８，１８が上扉８の受け片４４，４４と係止することで、上扉８が下扉９と共に下側にスライド移動し、上扉８が下扉９に連動してプラグ挿入口６を閉じる。したがって、モジュラプラグがプラグ挿入口６に挿入されていないときには、モジュラジャックがどのような向きに設置されていても、コイルばね１０のばね力によって上扉８および下扉９がプラグ挿入口６を閉じるので、埃等の異物がモジュラブロック３の接続部２９に侵入することがない。
【００４０】
ここで本実施形態では下扉９（第１の扉体）に設けた係合突部１８，１８を上扉８（第２の扉体）の左右両側の側縁部（ガイド部）と係合させると共に、ガイド部のスライド移動方向における一端側（すなわち上扉８の左右両側縁の下端部）に、下扉９がプラグ挿入口６を閉じる方向（つまり上扉８側）に移動する際に係合突部１８，１８と当接する受け片４４，４４を設けてあり、係合突部１８，１８をガイドするガイド部は、上扉８におけるプラグ挿入口６から露出しない部位に上扉８を前後方向に貫通して設けられているので、このガイド部と係合し、また受け片４４，４４と当接する係合突部１８，１８の突出量を上扉８の前後方向の厚み寸法と略同程度まで大きくとれる。従って係合突部１８，１８と受け片４４，４４との係り代を大きくでき、下扉９を後側に押すような力が加わったとしても、係合突部１８，１８と受け片４４，４４との係止状態が外れることはないから、開閉扉７を構成する上扉８と下扉９との係合状態を外れにくくできる。ここに、本実施形態では係合突部１８と受け片４４とで係合手段を構成しているが、係合手段の構成を上記のものに限定する趣旨のものではなく、扉体の厚み寸法と略同程度もしくは同程度以上の係り代を有して、両扉８，９を互いに係合させることで両扉８，９をスライド移動させる係合手段を、両扉８，９におけるプラグ挿入口６から露出しない部位に設けるのであれば、どのような構成の係合手段を用いても良い。
【００４１】
また上扉８の左右両側部に設けたガイド部は、それぞれ、スライド移動方向と略直交する方向（左右方向）の片側が開放されており、各々の係合突部１８，１８は左右方向の片側だけで上扉８の左右の側縁にガイドされているので、係合突部１８が両側でガイドされている場合に比べて、スライド移動する際に係合突部１８が上扉８の側縁に引っ掛かりにくく、その結果上扉８及び下扉９をスムーズにスライド移動させることができる。
【００４２】
なお本実施形態では上扉８の両側部に設けたガイド部を、それぞれ、スライド移動方向と略直交する方向（左右方向）の片側に開放させているが、図１０に示すように受け片４４，４４の先端部から延出し、受け片４４，４４の先端部と上扉８の左右の側縁の上端部（係止突起４３，４３の基部）との間を連結する補強用の連結片３９，３９を上扉８と連続一体に形成することで、上扉８の左右両側部に設けたガイド部の周りを囲んでガイド部を閉じて、連結片３９，３９によって囲まれる貫通溝３８，３８を設け、これらの貫通溝３８，３８に係合突部１８，１８を係入させても良く、連結片３９でガイド部を閉じることによって係合突部１８と当接する受け片４４（すなわち上扉８）の強度を高めることができる。
【００４３】
なお本実施形態ではカバー５に開閉扉７（上扉８及び下扉９）とコイルばね１０とを組み込んだ状態で押さえ板１１をカバー５に固定しており、開閉扉７とコイルばね１０とをカバー５の前壁と押さえ板１１との間に保持することによって、扉部分をブロック化しているので、ブロック化した扉部分（シャッターブロック１）をコンセント本体に組み込むことで組立作業の作業性が向上し、また組立の際に開閉扉７がカバー５から脱落するのを防止することができる。また扉部分をブロック化することで、ブロック化した扉部分をモジュラコンセント、ＴＶコンセント、光コンセント、ＩＳＤＮ用コンセント、ＤＳＬ用コンセントなどの様々な種類のコンセントに使用できるという利点もある。さらに、シャッターブロック１のボディ２（コンセント本体）への取り付けは、カバー５に設けた組立爪片１３をボディ２の組立孔２４に係止させることで行っており、ねじ等の固定具を用いていないので、組立作業を容易に自動化できる。
【図面の簡単な説明】
【００４４】
【図１】本実施形態のシャッターブロックの分解斜視図である。
【図２】同上の一部省略せる分解斜視図である。
【図３】同上のカバーに開閉扉を組み込んだ状態の背面図である。
【図４】同上に用いる開閉扉を示し、（ａ）は開閉扉が閉じた状態を前側から見た図、（ｂ）は開閉扉が開いた状態を前側から見た図である。
【図５】同上を示し、（ａ）は押さえ板を圧着する前の状態の背面図、（ｂ）は押さえ板を圧着した状態の背面図である。
【図６】同上を適用したモジュラジャックの分解斜視図である。
【図７】同上のモジュラジャックを示し、（ａ）は正面図、（ｂ）は上面図、（ｃ）は側面図である。
【図８】同上のモジュラジャックの下面図である。
【図９】同上のモジュラジャックの背面図である。
【図１０】同上に用いる別の開閉扉を示し、開閉扉が閉じた状態を前側から見た図である。
【図１１】従来のシャッターブロックの一部省略せる分解斜視図である。
【図１２】同上のカバーに開閉扉を組み込んだ状態の背面図である。
【図１３】同上を適用したモジュラジャックの側断面図である。
【図１４】同上のモジュラジャックの外観斜視図である。
【符号の説明】
【００４５】
１  シャッターブロック
５  カバー
６  プラグ挿入口
７  開閉扉
８  上扉
９  下扉
１７  操作片
１８  係合突部
４４  受け片
【図１】
2005085679.tif 000003
【図２】
2005085679.tif 000004
【図３】
2005085679.tif 000005
【図４】
2005085679.tif 000006
【図５】
2005085679.tif 000007
【図６】
2005085679.tif 000008
【図７】
2005085679.tif 000009
【図８】
2005085679.tif 000010
【図９】
2005085679.tif 000011
【図１０】
2005085679.tif 000012
【図１１】
2005085679.tif 000013
【図１２】
2005085679.tif 000014
【図１３】
2005085679.tif 000015
【図１４】
2005085679.tif 000016